(57)【要約】【課題】連続する頁の内容を単に並べて表示する技術と比較して表示することができる頁の数を増やしつつ、単に頁の内容を重ねて表示する技術とでは実現されない連続する頁の並べての表示を可能とする文書表示装置を提供する。【解決手段】文書表示装置１０は、複数の頁から構成される文書データを表示する表示部４００を制御する制御部１００を有し、制御部１００は、前記文書データのうち少なくとも二つの連続する頁の内容を並べて表示し、頁の内容が並べて表示される頁である内容表示頁のいずれかと、前記複数の頁のうちの前記内容表示頁以外の頁のいずれかとを重ねて表示するように表示部４００を制御する。【選択図】図３
2018124468.tif 000002
【特許請求の範囲】
【請求項１】
複数の頁から構成される文書データを表示する表示部を制御する制御手段を有し、
前記制御手段は、前記文書データのうち少なくとも二つの連続する頁の内容を並べて表示し、頁の内容が並べて表示される頁である内容表示頁のいずれかと、前記複数の頁のうちの前記内容表示頁以外の頁のいずれかとを重ねて表示するように前記表示部を制御する文書表示装置。
【請求項２】
前記制御手段は、前記内容表示頁の一つと、前記複数の頁のうちの前記内容表示頁以外の頁の全てとを重ねて表示するように前記表示部を制御する請求項１記載の文書処理装置。
【請求項３】
前記制御手段は、前記複数の頁のうちの前記内容表示頁以外の頁であって、前記内容表示頁よりも頁順が前の頁と、前記複数の頁のうちの前記内容表示頁以外の頁であって、前記内容表示頁よりも頁順が後の頁とを異なる表示形式で表示するように前記表示部を制御する請求項２記載の文書表示装置。
【請求項４】
前記制御手段は、前記複数の頁のうちの前記内容表示頁以外の頁であって、前記内容表示頁よりも頁順が前の頁と、前記複数の頁のうちの前記内容表示頁以外の頁であって、前記内容表示頁よりも頁順が後の頁とを異なる色で表記するように前記表示部を制御する請求項３記載の文書表示装置。
【請求項５】
前記制御手段は、前記表示部が、
前記複数の頁のうちの前記表示内容頁以外の頁であって前記内容表示頁よりも頁順が前の頁と、前記内容表示頁の一つとを重ねて表示し、
前記複数の頁のうちの前記内容表示頁以外の頁であって前記内容表示頁よりも頁順が後の頁と、前記内容表示頁の他の一つとを重ねて表示する
ように前記表示部を制御する請求項１記載の文書表示装置。
【請求項６】
前記制御手段は、前記表示部に表示される領域が最も大きい内容表示頁が、一つの内容表示頁から他の内容表示頁へと切り替わった際に、前記表示部における表示形成が変化するように前記表示部を制御する請求項１乃至５いずれか記載の文書表示装置。
【請求項７】
前記制御手段は、前記表示部に表示される領域が最も大きい内容表示頁が、一つの内容表示頁から他の内容表示頁へと切り替わった際に、切替の前において前記表示部に表示される領域が最も大きかった内容表示頁を、前記複数の頁のうちの前記内容表示頁以外の頁として、切替の後の内容表示頁のいずれかと重ねて表示するように前記表示部を制御する請求項６記載の文書表示装置。
【請求項８】
前記制御手段は、前記表示部に表示される領域が最も大きい内容表示頁が、一つの内容表示頁から他の内容表示頁に切り替わった際に、前記複数の頁のうちの前記内容表示頁以外の頁と重ねられている前記内容表示頁を、一つの表示内容頁から他の表示内容頁へと切り替えるように前記表示部を制御する請求項６記載の文書表示装置。
【請求項９】
前記制御手段は、複数の表示状態を切り替えて表示し、一つの表示状態から他の表示状態への切り替え時に、前記表示部中における頁の移動が連続的に動いて見えるように前記表示部を制御する請求項１乃至８いずれか記載の文書表示装置。
【請求項１０】
前記制御手段は、前記表示部が、二つの連続する内容表示頁の一方の内容表示頁における他方の内容表示頁側の頁内余白に他方の内容表示頁を重ねて、連続する二つの内容表示頁を表示するように前記表示部を制御する請求項１乃至９いずれか記載の文書表示装置。
【請求項１１】
前記制御手段は、
前記表示部が、
前記複数の頁のいずれかに付された付箋をさらに表示し、
前記複数の頁のいずれかの前記表示部に表示されていない位置に付されている付箋を、前記複数の頁のいずれかの、前記表示部に表示されている部分に移動させて表示する
ように前記表示部を制御する請求項１乃至１０いずれか記載の文書表示装置。
【請求項１２】
複数の頁から構成される文書データを表示する表示部を制御する制御手段を有し、
前記制御手段は、前記表示部が、二つの連続する頁の一方の頁における他方の頁側の頁内余白に他方の頁を重ねて連続する二つの頁を表示するように前記表示部を制御する文書表示装置。
【請求項１３】
複数の頁から構成される文書データを表示する表示部を有し、
前記表示部は、前記文書データのうち少なくとも二つの連続する頁の内容を並べて表示し、頁の内容が並べて表示される頁である内容表示頁のいずれかと、前記複数の頁のうちの前記内容表示頁以外の頁のいずれかとを重ねて表示するように制御手段によって制御される文書表示装置。
【請求項１４】
複数の頁から構成される文書データを表示する表示部を有し、
前記表示部は、二つの連続する頁の一方の頁における他方の頁側の頁内余白に他方の頁を重ねて連続する二つの頁を表示するように制御手段によって制御される文書表示装置。
【発明の詳細な説明】
【技術分野】
【０００１】
本発明は、文書表示装置に関する。
【背景技術】
【０００２】
特許文献１の段落〔０２１９〕には、図５Ｄ１９〜図５Ｄ２０について「他の選択していないアイコン（例えば、アイコン１３８Ｄ−０４ｂから１３８Ｄ−０４ｄ）も、サイズ変更され、選択したアイコン１３８Ｄ−０４ａ’の周囲に再配置される」と記載されていて、段落〔０２２２〕には、図５Ｄ２２〜図５Ｄ２３について「ユーザは続いて他の入力（例えば、スワイプジェスチャ）を使用して、カバーフロービューの他のアイコンの左及び右をブラウザできる」と記載されている。
【０００３】
特許文献２には、段落〔００３８〕に、図Ａ１について「ディスプレイスクリーン１１上に表示された仮想書籍インターフェイス１００は、２つの側部、即ち、左側部１０１及び右側部１０２から成る。左側部１０１及び右側部１０２に各々関連付けられた左側部厚み１０３及び右側部厚み１０４がある。左底部厚み１０５及び右底部厚み１０６もある。如何なる数のブックマーク（例えば、１０７及び１０８）をも左側部１０３（又は１０５）に位置付けることが可能であり、如何なる数のブックマーク（例えば、１０９及び１１０）をも右側部厚み１０４（又は１０６）に位置付けることが可能である」と記載されている。
【先行技術文献】
【特許文献】
【０００４】
【特許文献１】特表２０１５−５１９６５５号公報
【特許文献２】特表２００７−５０３６６３号公報
【発明の概要】
【発明が解決しようとする課題】
【０００５】
複数の頁から構成される文書データを表示する際に、連続する頁の内容を並べて表示すると互いに隣り合う頁の内容を同時に表示させることができるものの、表示できる頁の数が限られる。一方、複数の頁から構成される文書データを表示する際に、一つの頁と他の頁とが重なるように表示すると、表示することができる頁数は増えるものの、連続する頁の内容を並べて表示することができない。
【０００６】
連続する頁の内容を単に並べて表示する技術と比較して表示することができる頁の数を増やしつつ、単に頁を重ねて表示する技術とでは実現されない連続する頁の内容の並べての表示を可能とする文書表示装置を提供することを目的とする。
【課題を解決するための手段】
【０００７】
請求項１に係る本発明は、
複数の頁から構成される文書データを表示する表示部を制御する制御手段を有し、
前記制御手段は、前記文書データのうち少なくとも二つの連続する頁の内容を並べて表示し、頁の内容が並べて表示される頁である内容表示頁のいずれかと、前記複数の頁のうちの前記内容表示頁以外の頁のいずれかとを重ねて表示するように前記表示部を制御する文書表示装置
である。
【０００８】
請求項２に係る本発明は、
前記制御手段は、前記内容表示頁の一つと、前記複数の頁のうちの前記内容表示頁以外の頁の全てとを重ねて表示するように前記表示部を制御する請求項１記載の文書処理装置
である。
【０００９】
請求項３に係る本発明は、
前記制御手段は、前記複数の頁のうちの前記内容表示頁以外の頁であって、前記内容表示頁よりも頁順が前の頁と、前記複数の頁のうちの前記内容表示頁以外の頁であって、前記内容表示頁よりも頁順が後の頁とを異なる表示形式で表示するように前記表示部を制御する請求項２記載の文書表示装置
である。
【００１０】
請求項４に係る本発明は、
前記制御手段は、前記複数の頁のうちの前記内容表示頁以外の頁であって、前記内容表示頁よりも頁順が前の頁と、前記複数の頁のうちの前記内容表示頁以外の頁であって、前記内容表示頁よりも頁順が後の頁とを異なる色で表記するように前記表示部を制御する請求項３記載の文書表示装置
である。
【００１１】
請求項５に係る本発明は、
前記制御手段は、前記表示部が、
前記複数の頁のうちの前記表示内容頁以外の頁であって前記内容表示頁よりも頁順が前の頁と、前記内容表示頁の一つとを重ねて表示し、
前記複数の頁のうちの前記内容表示頁以外の頁であって前記内容表示頁よりも頁順が後の頁と、前記内容表示頁の他の一つとを重ねて表示する
ように前記表示部を制御する請求項１記載の文書表示装置
である。
【００１２】
請求項６に係る本発明は、
前記制御手段は、前記表示部に表示される領域が最も大きい内容表示頁が、一つの内容表示頁から他の内容表示頁へと切り替わった際に、前記表示部における表示形成が変化するように前記表示部を制御する請求項１乃至５いずれか記載の文書表示装置
である。
【００１３】
請求項７に係る本発明は、
前記制御手段は、前記表示部に表示される領域が最も大きい内容表示頁が、一つの内容表示頁から他の内容表示頁へと切り替わった際に、切替の前において前記表示部に表示される領域が最も大きかった内容表示頁を、前記複数の頁のうちの前記内容表示頁以外の頁として、切替の後の内容表示頁のいずれかと重ねて表示するように前記表示部を制御する請求項６記載の文書表示装置
である。
【００１４】
請求項８に係る本発明は、
前記制御手段は、前記表示部に表示される領域が最も大きい内容表示頁が、一つの内容表示頁から他の内容表示頁に切り替わった際に、前記複数の頁のうちの前記内容表示頁以外の頁と重ねられている前記内容表示頁を、一つの表示内容頁から他の表示内容頁へと切り替えるように前記表示部を制御する請求項６記載の文書表示装置
である。
【００１５】
請求項９に係る本発明は、
前記制御手段は、複数の表示状態を切り替えて表示し、一つの表示状態から他の表示状態への切り替え時に、前記表示部中における頁の移動が連続的に動いて見えるように前記表示部を制御する請求項１乃至８いずれか記載の文書表示装置
である。
【００１６】
請求項１０に係る本発明は、
前記制御手段は、前記表示部が、二つの連続する内容表示頁の一方の内容表示頁における他方の内容表示頁側の頁内余白に他方の内容表示頁を重ねて、連続する二つの内容表示頁を表示するように前記表示部を制御する請求項１乃至９いずれか記載の文書表示装置
である。
【００１７】
請求項１１に係る本発明は、
前記制御手段は、
前記表示部が、
前記複数の頁のいずれかに付された付箋をさらに表示し、
前記複数の頁のいずれかの前記表示部に表示されていない位置に付されている付箋を、前記複数の頁のいずれかの、前記表示部に表示されている部分に移動させて表示するように前記表示部を制御する請求項１乃至１０いずれか記載の文書表示装置
である。
【００１８】
請求項１２に係る本発明は、
複数の頁から構成される文書データを表示する表示部を制御する制御手段を有し、
前記制御手段は、前記表示部が、二つの連続する頁の一方の頁における他方の頁側の頁内余白に他方の頁を重ねて連続する二つの頁を表示するように前記表示部を制御する文書表示装置
である。
【００１９】
請求項１３に係る本発明は、
複数の頁から構成される文書データを表示する表示部を有し、
前記表示部は、前記文書データのうち少なくとも二つの連続する頁の内容を並べて表示し、頁の内容が並べて表示される頁である内容表示頁のいずれかと、前記複数の頁のうちの前記内容表示頁以外の頁のいずれかとを重ねて表示するように制御手段によって制御される文書表示装置
である。
【００２０】
請求項１４に係る本発明は、
複数の頁から構成される文書データを表示する表示部を有し、
前記表示部は、二つの連続する頁の一方の頁における他方の頁側の頁内余白に他方の頁を重ねて連続する二つの頁を表示するように制御手段によって制御される文書表示装置
である。
【発明の効果】
【００２１】
請求項１に係る本発明によれば、連続する頁の内容を単に並べて表示する技術と比較して表示することができる頁の数を増やしつつ、単に頁の内容を重ねて表示する技術では実現されない連続する頁の並べての表示を可能とする文書表示装置を提供することができる。
【００２２】
請求項２に係る本発明によれば、複数の内容表示頁のそれぞれと、内容表示頁以外の頁とが重なるように表示される技術と比較して、文書データ全体の量を把握しやすくすることができる。
【００２３】
請求項３に係る本発明によれば、内容表示頁よりも頁順が前の内容表示頁以外の頁と、内容表示頁よりも頁順が後の内容表示頁以外の頁とを同じ表示形式で表示する技術と比較して、文書データ全体の中における内容表示頁の位置を把握しやすくすることができる。
【００２４】
請求項４に係る本発明によれば、内容表示頁よりも頁順が前の内容表示頁以外の頁と、内容表示頁よりも頁順が後の内容表示頁以外の頁とを同じ色で表示する技術と比較して、文書データ全体の中における内容表示頁の位置を把握しやすくすることができる。
【００２５】
請求項５に係る本発明によれば、内容表示頁よりも頁順が前の内容表示頁以外の頁と内容表示頁よりも頁順が後の内容表示頁以外の頁とを、一つの内容表示頁とを重ねるように表示する技術と比較して、文書データ全体の中における内容表示頁の位置を把握しやすくすることができる。
【００２６】
請求項６に係る本発明によれば、表示部に表示される領域が最も大きい内容表示頁が切り替わった際に表示部における表示形式が変化しない技術と比較して、内容表示頁の切替を認識しやすくすることができる。
【００２７】
請求項７に係る本発明によれば、表示部に表示される領域が最も大きい内容表示頁が切り替わった際に、表示部に表示される領域が切替前において最も大きかった内容表示頁と重ねて表示される頁が同じである技術と比較して、内容表示頁の切替を認識しやすくすることができる。
【００２８】
請求項８に係る本発明によれば、表示部に表示される領域が最も大きい内容表示頁が切り替わった際に、内容表示頁以外の頁と互いに重ねた状態で表示される内容表示頁が切り替わらない技術と比較して、内容表示頁の切替を認識しやすくすることができる。
【００２９】
請求項９に係る本発明によれば、頁が移動する際に、頁の移動を連続的に動いて見えるように表示せずに、移動前の頁の位置と移動後の頁の位置とだけを表示する技術と比較して、頁の移動後の位置を把握しやすくすることができる。
【００３０】
請求項１０に係る本発明によれば、二つの連続する内容表示頁の一方の頁内余白に、二つの連続する内容表示頁の他方を重ねずに頁を表示する技術と比較して、表示部における余白が表示される領域を小さくすることができる。
【００３１】
請求項１１に係る本発明によれば、付箋を移動させない技術と比較して、表示部に表示される付箋の数を増やすことができる。
【００３２】
請求項１２に係る本発明によれば、二つの連続する内容表示頁の一方の頁内余白に、二つの連続する内容表示頁の他方を重ねずに頁を表示する技術と比較して、表示部における余白が表示される領域を小さくすることができる。
【００３３】
請求項１３に係る本発明によれば、連続する頁を単に並べて表示する技術と比較して表示することができる頁の数を増やしつつ、単に頁を重ねて表示する技術では実現されない連続する頁の並べての表示を可能とする文書表示装置を提供することができる。
【００３４】
請求項１４に係る本発明によれば、二つの連続する内容表示頁の一方の頁内余白に、二つの連続する内容表示頁の他方を重ねずに頁を表示する技術と比較して、表示部における余白が表示される領域を小さくすることができる。
【図面の簡単な説明】
【００３５】
【図１】本発明の第一の実施形態の文書表示装置の外観を示す図である。
【図２】図１に示す文書表示装置のハードウエア構成を示す図である。
【図３】図１に示す文書表示装置が有する表示部を示す図である。
【図４】図１に示す文書表示装置の動作を示す第一のフローチャートである。
【図５】図１に示す文書表示装置の動作を示す第二のフローチャートである。
【図６】主頁の選択を説明する第一の図である。
【図７】図７におけるステップＳ１２２での表示領域の表示の第一の例を説明する図である。
【図８】図５におけるステップＳ１２２での表示領域の表示の第二の例を説明する図である。
【図９】図５におけるステップＳ１２４での表示領域の表示の第一の例を説明する図である。
【図１０】図５におけるステップＳ１２４での表示領域の表示の第二の例を説明する図である。
【図１１】図５におけるステップＳ１２６での表示領域の表示の第一の例を説明する図である。
【図１２】図５におけるステップＳ１２６での表示領域の表示の第二の例を説明する図である。
【図１３】図５におけるステップＳ１２８での表示領域の表示の例を説明する図である。
【図１４】図１に示す文書表示装置の動作を示す第三のフローチャートである。
【図１５】図１４におけるステップＳ３２０での表示領域の表示の第一の例を説明する図である。
【図１６】図１４におけるステップＳ３２０での表示領域の表示の第二の例を説明する図である。
【図１７】図１４におけるステップＳ３２０での表示領域の表示の第三の例を説明する図である。
【図１８】図１４におけるステップＳ３２０での表示領域の表示の第四の例を説明する図である。
【図１９】表示のスクロール等に伴う頁の移動を説明する第一の図であって、図１９（Ａ）は、頁が移動前の表示領域を示す図であり、図１９（Ｂ）は、頁が移動後の表示領域を示す図である。
【図２０】表示のスクロール等に伴う頁の移動を説明する第二の図であって、図２０（Ａ）は、頁が移動前の表示領域を示す図であり、図２０（Ｂ）は、頁が移動後の表示領域を示す図である。
【図２１】図１に示す文書表示装置の動作を示す第四のフローチャートであって、頁内余白に他の頁を重ねて表示する動作を説明するフローチャートである。
【図２２】図２２（Ａ）は、頁内余白に他の頁を重ねない表示の第一の例を示す図であり、図２２（Ｂ）は、頁内余白に他の頁を重ねる表示の第一の例を示す図である。
【図２３】図２３（Ａ）は、頁内余白に他の頁を重ねない表示の第二の例を示す図であり、図２３（Ｂ）は、頁内余白に他の頁を重ねる表示の第二の例を示す図である。
【図２４】図２４（Ａ）は、頁内余白に他の頁を重ねない表示の第三の例を示す図であり、図２４（Ｂ）は、頁内余白に他の頁を重ねる表示の第三の例を示す図である。
【図２５】図１に示す文書表示装置の動作を示す第五のフローチャートであって、付箋の移動を説明するフローチャートである。
【図２６】付箋の移動を説明し、図２６（Ａ）は、付箋を移動させない場合の表示領域の表示の一例を示す図であり、図２６（Ｂ）は、付箋を移動させた場合の表示領域の表示の一例を示す図である。
【図２７】本発明の第二の実施形態の文書表示装置の外観を示す図である。
【図２８】制御装置のハードウエア構成と図２７に示す文書表示装置のハードウエア構成を示す図である。
【発明を実施するための形態】
【００３６】
次に、本発明を実施するための形態を図面を参照して説明する。図１には、本発明の第一実施形態の文書表示装置１０が示されている。図１に示すように、文書表示装置１０は、文書表示装置本体１２と、操作部３００と、表示部４００とを有する。
【００３７】
文書表示装置１０としては、例えば、パーソナルコンピュータを用いることができる。操作部３００としては、例えば、キーボートやマウスを用いることができる。表示部４００としては、例えば、液晶表示装置を用いることができる。文書表示装置１０は、例えば、ノート型のパーソナルコンピュータ、スマートフォン、タブレット端末等のように、文書表示装置本体１２と、操作部３００と、表示部４００とが一体であってもよい。
【００３８】
図２には、文書表示装置１０のハードウエア構成が示されている。図２に示すように、文書表示装置１０は、制御部１００と、記憶部２００と、先述の操作部３００と、先述の表示部４００とを有する。
【００３９】
制御部１００は、制御手段として用いられていて、例えばＣＰＵ（central processing unit）等の演算処理装置や主記憶装置に相当する記憶手段（いわゆるメモリ）を備え、プログラムを実行することによって文書表示装置１０の各部の動作を制御する。記憶部２００は、制御部１００が処理に用いるプログラム、表示する文書のデータ等を記憶している。記憶部２００としては、例えば、ハードディスクやフラッシュメモリを用いることができる。
【００４０】
図３には、表示部４００が示されている。図３に示すように、表示部４００は、表示画面４０２を有し、表示画面４０２に表示領域４１０が表示される。表示領域４１０は、後述する文書データ５００を表示するためのアプリケーションを表示する領域であり、さらには、文書データ５００を表示するためのアプリケーションを操作するための領域であり、ビューワーと称されることもある。
【００４１】
表示領域４１０には、複数の頁から構成される文書データ５００が表示される。文書データ５００は、例えば、記憶部２００に記憶されている頁を有する。ここで、頁とは、文書データ５００を表示する表示領域であって、周縁部で囲われた部分を指すものとする。図３に示す例においては、文書データ５００は、第１頁から第８頁までの８頁を有する。以下の説明においては、頁数を明記した場合を除いて、文書データ５００は第１頁から第Ｋ頁までのＫ頁を有するものとする。
【００４２】
表示領域４１０の周囲には、文書名表示バー４１２と、メニューバー４１４と、ツールバー４１６と、横方向スクロールバー４１８と、縦方向スクロールバー４２０とが配置され、表示されている。
【００４３】
文書名表示バー４１２は、文書データ５００の名称（ファイル名）を表示する。メニューバー４１４は、例えば、文書データ５００の保存や、編集や、表示形式の変更や、ヘルプ情報の表示等の操作に用いられる。ツールバー４１６には、例えば、文書データ５００の表示の拡大や縮小等、表示されている文書データ５００の操作に用いられる。
【００４４】
文書データ５００は、操作者による操作に応じて、表示領域４１０内で移動することができ、拡大表示することができ、縮小表示することができる。より具体的には、操作者が、横方向スクロールバー４１８を操作したり、縦方向スクロールバー４２０を操作したりすることで、文書データ５００を縦方向や横方向に移動させることができ、例えば、ツールバー４１６を操作することで、文書データ５００を拡大したり、縮小したりすることができる。
【００４５】
表示領域４１０は、操作者の操作に応じて表示画面４０２内で移動することができ、操作者の操作に応じて表示画面４０２内で拡大し、縮小することができる。また、文書名表示バー４１２、メニューバー４１４、ツールバー４１６、横方向スクロールバー４１８、縦方向スクロールバー４２０は、表示領域４１０と一体として表示画面４０２中を移動し、表示画面４０２内で拡大し、縮小する。
【００４６】
図３に示す例においては、文書データ５００は、表示領域４１０内において、連続する頁である第１頁と第２頁とが並べて表示されている。より具体的には、第１頁が上側に位置し、第２頁が下側に位置するように並べて表示されている。以下の説明において、上述の第１頁や第２頁のように、内容が表示され、並べて表示される次を「内容表示頁」と呼ぶものとする。
【００４７】
また、図３に示す例においては、文書データ５００を構成する複数の頁のうちの内容表示頁以外の頁である第３頁〜第８頁が、第１頁と重なるように表示されている。このように、表示部４００には、内容表示頁である第１頁と第２頁とが並べて表示され、文書データ５００を構成する複数の頁のうちの内容表示頁以外の頁である第３頁〜第８頁とが重ねて表示されている。
【００４８】
また、この実施形態では、並べて表示頁の中の一つである第１頁と、文書データ５００を構成する頁のうちの並べて表示される頁である第３頁〜第８頁の全てとが重なるように表示されている。
【００４９】
尚、この実施形態においては、表示部４００は、並べて表示される二つの頁を、前の頁ほど後の頁よりも上に位置するように上下方向に並べて表示するものの、表示部４００が、並べて表示される頁を、後の頁ほど前の頁よりも上に位置するように上下方向に並べて表示してもよい。また、表示部４００は、並べて表示される頁を、先のページほど後のページよりも左側に位置するように左右方向に並べて表示するようにしてもよいし、先のページほど後のページよりも右側に位置するように左右方向に並べて表示するようにしてもよい。
【００５０】
図４は、文書表示装置１０の動作を説明する第一のフローチャートである。
文書データ５００を新たに表示する場合や、表示領域４１０内において文書データ５００の表示を移動させたり、表示領域４１０内において文書データ５００を拡大させたり縮小させたりする場合に、制御部１００は、一連の制御を開始し、最初のステップＳ１０において、表示領域４１０に表示される文書データ５００の内容が表示され、並べて表示される頁（内容表示頁）の数が３頁以内であるか否かを判別する。
【００５１】
内容表示頁の頁数が３頁以内であるか否かは、表示領域４１０の縦方向の画素数と、表示領域４１０内で表示されるそれぞれの頁の縦方向の画素数と、互いに隣り合う頁の間の隙間の縦方向における画素数とに基づいて制御部１００が判別する。
【００５２】
制御部１００が表示領域４１０に並べて表示される内容表示頁の数が３頁以下であると判別した場合はステップＳ１００に進み、制御部１００が表示領域４１０に並べて表示される内容表示頁の数が４頁よりも多いと判別した場合はステップＳ３００に進む。
【００５３】
ステップＳ１００では、制御部１００は、文書表示装置１０に第一の表示処理をさせる。第一の表示処理の詳細は後述する（図５を参照）。
【００５４】
ステップＳ３００では、制御部１００は、文書表示装置１０に第二の表示処理をさせる。第二の表示処理の詳細は後述する（図１４を参照）。
【００５５】
図５は、文書表示装置１０の動作を説明する第二のフローチャートであって、第一の表示処理（ステップＳ１００、図４を参照）を説明するフローチャートであり、図６は、第一の表示処理の説明を補助する図である。尚、図６等の表示領域４１０を示す図においては、文書データ５００を構成する各頁の表示領域４１０には表示されない部分を、説明の便宜上、想像線（二点鎖線）で示している。
【００５６】
まず、ステップＳ１０２において、制御部１００は、表示領域４１０に表示される面積が最も大きい頁を主頁として定める。すなわち、内容表示頁であって、表示領域４１０内において表示される領域が最も大きい頁を主頁として定める。
【００５７】
例えば、図６に示す例では、表示領域４１０に、文書データ５００の第（ｎ−１）頁と、第ｎ頁と、第（ｎ＋１）頁とが内容表示頁として並べて表示されていて、表示領域４１０に表示される第ｎ頁の面積Ｓn、表示領域４１０に表示される第（ｎ−１）頁の面積であるＳn-1、表示領域４１０に表示される第（ｎ＋１）頁の面積であるＳn+1の中で面積Ｓnが最も大きいため、制御部１００は、第ｎ頁を主頁として定める。
【００５８】
制御部１００が、上述のように主頁を判別することに替えて、後述するステップＳ３１０（図１４を参照）と同様に、並べて表示される頁であって、並べて表示される頁の移動方向において表示画面４０２の中央に位置する線分Ｌに最も近くに位置する頁を制御部１００が主頁と判別するようにしてもよい。ここで、線分Ｌに最も近い頁は、線分Ｌに重なる頁も含むものとする。また、線分Ｌは、主頁の特定に用いられるにすぎず、表示領域４１０に可視的に表示されるものではない。
【００５９】
次のステップであるステップＳ１０４では、制御部１００は、主頁である第ｎ頁の次頁である第（ｎ＋１）頁の側に頁外余白Ｍｂがあるか否かを判別し、頁外余白Ｍｂがある場合はステップＳ１０６に進み、頁外余白Ｍｂがない場合はステップＳ１０８に進む。
【００６０】
例えば、図６に示すように、主頁である第ｎ頁の次頁である第（ｎ＋１）頁の側に頁外余白Ｍｂがある場合は、ステップＳ１０６に進む。
【００６１】
ステップＳ１０６では、制御部１００は、主頁である第ｎ頁の前頁である第（ｎ−１）頁の側に頁外余白Ｍｔがあるか否かを判別し、頁外余白Ｍｔがある場合はステップＳ１２２に進み、頁外余白Ｍｔがない場合はステップＳ１２４に進む。例えば、図６に示すように、主頁である第ｎ頁の前頁である第（ｎ−１）頁との間に頁外余白Ｍｔがある場合は、ステップＳ１２２に進む。
【００６２】
ステップＳ１０８では、制御部１００は、主頁である第ｎ頁の前頁である第（ｎ−１）頁の側に頁外余白Ｍｔがあるか否かを判別し、頁外余白Ｍｔがある場合はステップＳ１２６に進み、頁外余白Ｍｔがない場合はステップＳ１２８に進む。
【００６３】
ステップＳ１２２では、制御部１００は、文書データ５００の主頁の前の頁である前頁と、主頁と、主頁の後の頁である後頁とを表示領域４１０内に並べて表示させる。また、制御部１００は、文書データ５００の前頁、主頁、次頁以外の頁は、前頁、主頁、後頁のいずれかと重なるように表示させる。
【００６４】
ステップＳ１２４では、制御部１００は、文書データ５００の主頁と次頁とを表示領域４１０内に並べて表示させる。また、制御部１００は、文書データ５００の主頁、次頁以外の頁は、主頁、次頁のいずれかと重なるように表示させる。
【００６５】
ステップＳ１２６では、制御部１００は、文書データ５００の前頁と主頁とを表示領域４１０内に並べて表示する。また、制御部１００は、文書データ５００の前頁、主頁以外の頁は、前頁、主頁のいずれかと重なるように表示する。
【００６６】
ステップＳ１２８では、制御部１００は、主頁に他の頁を重ねるようにして文書データ５００を表示させる。
【００６７】
図７には、ステップＳ１２２における表示領域４１０の表示の第一の例が示されている。この第一の例では、制御部１００は、前頁である第（ｎ−１）頁と、主頁である第ｎ頁と、次頁である第（ｎ＋１）頁とを並べて表示させ、並べて表示させる頁以外の頁は、主頁と重ねるように表示させる。
【００６８】
図８には、ステップＳ１２２おける表示領域４１０の表示の第二例が示されている。この第二の例では、制御部１００は、前頁である第（ｎ−１）頁と、主頁である第ｎ頁と、次頁である第（ｎ＋１）頁とが並べて表示させ、並べて表示される頁以外の頁は、前頁である第（ｎ−１）頁か次頁である第（ｎ＋１）頁のいずれかに振り分け、振り分けられた頁と重ねるように表示させる。
【００６９】
より具体的には、制御部１００は、並べて表示される頁以外の頁であって、次頁である第（ｎ＋１）頁よりも後ろの頁を次頁である第（ｎ＋１）頁と重ねるように表示させる。一方、制御部１００は、並べて表示される頁以外の頁であって、前頁である第（ｎ−１）頁よりも前の頁は、前頁である第（ｎ−１）頁と重ねるように表示させる。
【００７０】
ここで、並べて表示される頁以外の頁の頁であって、並べて表示される頁である第（ｎ−１）頁、第ｎ頁、第（ｎ−１）頁よりも頁順が前である頁と、並べて表示される頁以外の頁の頁であって、並べて表示される頁である第（ｎ−１）頁、第ｎ頁、第（ｎ−１）頁よりも頁順が後である頁との表示形式を異なるようにすることが望ましい。
【００７１】
より具体的には、例えば、並べて表示される頁である第（ｎ−１）頁、第ｎ頁、第（ｎ−１）頁よりも頁順が前である頁と、並べて表示される頁以外の頁の頁であって、並べて表示される頁である第（ｎ−１）頁、第ｎ頁、第（ｎ−１）頁よりも頁順が後である頁との色を異なるようにすることが望ましい。さらに具体的には、
例えば、並べて表示される頁である第（ｎ−１）頁、第ｎ頁、第（ｎ−１）頁よりも頁順が前である頁を通常の色で表示し、並べて表示される頁以外の頁の頁であって、並べて表示される頁である第（ｎ−１）頁、第ｎ頁、第（ｎ−１）頁よりも頁順が後である頁をグレースケールで表示することが望ましい。
【００７２】
図９には、ステップＳ１２４における表示領域４１０の表示の第一の例が示されている。この第一の例では、制御部１００は、主頁である第ｎ頁と、次頁である第（ｎ＋１）頁とを内容表示頁として並べて表示させ、並べて表示される頁以外の頁は、主頁と重ねるように表示させる。
【００７３】
図１０には、ステップＳ１２４における表示領域４１０の表示の第二の例が示されている。この第二の例では、制御部１００は、主頁である第ｎ頁と、次頁である第（ｎ＋１）頁とを並べて表示させ、並べて表示される以外の頁は、次頁と重なるように表示させる。
【００７４】
図１１には、ステップＳ１２６における表示領域４１０の表示の第一の例が示されている。この第一の例では、制御部１００は、主頁である第ｎ頁と、前頁である第（ｎ−１）頁とを並べて表示させ、並べて表示される以外の頁は、主頁と重なるように表示させる。
【００７５】
図１２には、ステップＳ１２６における表示領域４１０の第二の例が示されている。この第二も例では、制御部１００は、主頁である第ｎ頁と、前頁である第（ｎ−１）頁とを並べて表示させ、並べて表示される以外の頁は、前頁と重なるように表示させる。
【００７６】
図１３には、ステップＳ１２８における表示領域４１０の例が示されている。この例では、制御部１００は、主頁である第ｎ頁を表示させ、他の頁を主頁に重ねて表示させる。
【００７７】
図１４は、文書表示装置１０の動作を説明する第三のフローチャートであり、第二の表示処理（ステップＳ３００、図４を参照）を説明するフローチャートである。図１４に示すように、まず、ステップＳ３１０において、制御部１００は、表示領域４１０に並べて表示される頁であって、並べて表示される頁の移動方向における表示画面４０２の中央である線分Ｌに最も近い頁を主頁とする。
【００７８】
次のステップであるステップＳ３２０では、制御部１００は、表示領域４１０に並べて表示することができる数の頁を表示領域４１０に並べて表示させ、並べて表示される頁以外の頁を並べて表示される頁と重ねるように表示させる。
【００７９】
図１５には、ステップＳ３２０における表示領域４１０の表示の第一の例が示されている。この第一の例では、制御部１００は、主頁である第ｎ頁と、次頁である第（ｎ＋１）頁と、次頁のさらに次の頁である第（ｎ＋２）頁と、前頁である第（ｎ−１）頁と、前頁のさらに前の頁である第（ｎ−２）頁とを並べて表示させ、並べて表示させる以外の頁を主頁である第ｎ頁と重なるように表示させている。
【００８０】
図１６には、ステップＳ３２０における表示領域４１０の表示の第二の例が示されている。この第二の例では、制御部１００は、主頁である第ｎ頁と、次頁である第（ｎ＋１）頁と、次頁のさらに次の頁である第（ｎ＋２）頁と、前頁である第（ｎ−１）頁と、前頁のさらに前の頁である第（ｎ−２）頁とを並べて表示させ、並べて表示させる頁の中で最も前の頁である第（ｎ−２）頁と並べて表示される頁以外の頁とを重ねて表示させている。
【００８１】
図１７には、ステップＳ３２０における表示領域４１０の表示の第三の例が示されている。この第三の例では、制御部１００は、主頁である第ｎ頁と、次頁である第（ｎ＋１）頁と、次頁のさらに次の頁である第（ｎ＋２）頁と、前頁である第（ｎ−１）頁と、前頁のさらに前の頁である第（ｎ−２）頁とを並べて表示させ、並べて表示される頁の中で最も後の頁である第（ｎ＋２）頁と並べて表示される頁以外の頁とを重ねて表示させている。
【００８２】
図１８には、ステップＳ３２０における表示領域４１０の表示の第四の例が示されている。この第四の例では、制御部１００は、主頁である第ｎ頁と、次頁である第（ｎ＋１）頁と、次頁のさらに次の頁である第（ｎ＋２）頁と、前頁である第（ｎ−１）頁と、前頁のさらに前の頁である第（ｎ−２）頁とを並べて表示させ、並べて表示させる頁の中で最も前の頁である第（ｎ−２）頁と並べて表示される頁の中の最も後ろの頁である第（ｎ＋２）頁とのいずれかに並べて表示される頁以外の頁を振り分け、振り分けた頁を、振り分けた先の並べて表示される頁と重ねるように表示させている。
【００８３】
より具体的には、制御部１００は、並べて表示する頁以外の頁であって、第（ｎ−２）頁よりも前の頁は第（ｎ−２）頁と重ねるように表示させ、並べて表示される頁以外の頁であって、第（ｎ−２）頁よりも前の頁は第（ｎ−２）頁と重ねるように表示させ、並べて表示される頁以外の頁であって、第（ｎ＋２）頁よりも後の頁は第（ｎ＋２）頁と重ねるように表示させている。
【００８４】
図１９及び図２０には、表示領域４１０に表示される文書データ５００の頁の移動の第一の例及び第二の例が、それぞれに説明されている。第一の例及び第二の例は、表示領域４１０に表示される領域が最も大きい内容表示頁が、一つの内容表示頁から他の内容表示頁へと切り替わった際の表示領域４１０における表示形式の変化を説明するものである。
【００８５】
表示領域４１０に表示される文書データ５００の頁は、例えば、表示領域４１０に表示される文書データ５００が拡大されたり、縮小されたり、スクロールされたりすることに等に伴って表示領域４１０内で移動する。以下、説明をするように、制御部１００は、文書データ５００の頁を移動させる際に、頁の移動が連続して動いて見えるように、頁を所謂アニメーション表示させる。
【００８６】
図１９（Ａ）には、制御部１００が、第ｎ頁を主頁とし、次の頁である第（ｎ＋１）頁と第ｎ頁とを並べて表示させ、並べて表示させた頁以外の頁を主頁に重ねて表示させた状態が示されていている。そして、図１９（Ｂ）には、制御部１００が、第（ｎ＋１）頁を主頁とし、主頁の次の頁である第（ｎ＋２）頁と第（ｎ＋１）頁とを並べて表示させ、並べて表示させた頁以外の頁を主頁である第（ｎ＋１）頁に重ねて表示させた状態が示されている。
【００８７】
この第一の例においては、図１９（Ａ）に示された状態から、表示領域４１０に対して各頁が上方に移動するように表示をスクロールさせる操作がなされた場合、制御部１００は、操作に応じて図１９（Ａ）に示された状態から、図１９（Ｂ）に示された状態へと表示領域４１０の表示を変化させる。この際、制御部１００は、図１９（Ａ）において主頁であった第ｎ頁を、表示のスクロール方向へと他の頁よりも早くフェードアウトするように上方に移動させ、さらには、図１９（Ｂ）に示す移動後の主頁である第（ｎ＋１）頁の最も奥側に重ねるように、第ｎ頁の表示のスクロール方向とは逆の方向である下側へと表示領域４１０にフェードインするように第ｎ頁を移動させる。
【００８８】
図２０（Ａ）には、制御部１００が、第ｎ頁が主頁とし、主頁の前の頁である第（ｎ−１）頁と第ｎ頁とを並べて表示させ、並べて表示させた頁以外の頁を主頁に重ねて表示させた状態が示されていている。そして、図２０（Ｂ）には、制御部１００が、第（ｎ−１）頁を主頁とし、主頁の次の頁である第ｎ頁と第（ｎ−１）頁とを並べて表示させ、並べて表示させた頁以外の頁を主頁である第（ｎ−１）頁に重ねて表示させた状態が示されている。
【００８９】
この第二の例において、図２０（Ａ）に示された状態から、表示領域４１０に対して各頁が下方に移動するように表示をスクロールさせる操作がなされた場合、制御部１００は、操作に応じて図２０（Ａ）に示された状態から、図２０（Ｂ）に示された状態へと表示領域４１０の表示を変化させる。この際、制御部１００は、図２０（Ａ）において主頁であった第ｎ頁を、表示のスクロール方向へと他の頁よりも早くフェードアウトするように下方に移動させ、さらには、図２０（Ｂ）に示す移動後の主頁である第（ｎ−１）頁のすぐ奥側に重ねるように、第ｎ頁を表示のスクロール方向とは逆の方向である上川へと表示領域４１０にフェードインするように、第ｎ頁を移動させる。
【００９０】
以上の説明においては、表示領域４１０内に二つの頁が表示された状態から表示のスクロールがなされた場合を一例として挙げて頁の移動について説明をしたものの、例えば、表示領域４１０の３つ以上の頁が表示されている状態から表示がスクロールされた場合や、表示領域４１０内で頁が拡大・縮小されたりした場合等の表示領域４１０内での頁を移動させる場合においても、制御部１００は、頁の移動が連続して動いて見えるように、頁を所謂アニメーション表示させる。
【００９１】
図２１は、文書表示装置１０の制御を説明する第四のフローチャートであり、文書データ５００における頁の頁内余白に他の頁を重ねて表示させる制御を説明するフローチャートであり、図２２、図２３及び図２４は、図２１に示す制御の説明を補助する図である。以下、第ｎ頁が主頁である場合を例として説明をする。
【００９２】
例えば、ステップＳ１２２、ステップＳ１２４、ステップＳ１２６（それぞれ図５を参照）の開始と同時に、制御部１００は、図２１に示す一連の制御を開始する。まず、ステップＳ４１０において、制御部１００は、主頁における前頁（第（ｎ−１）頁）側に頁内余白Ｐｔがあるか否かと、前頁における主頁側に頁内余白Ｐｂがあるか否かとを判別する。そして、主頁の頁内余白Ｐｔと前頁の頁内余白Ｐｂとの少なくとも一方がある場合はステップＳ４２０に進み、主頁に頁内余白Ｐｔがなく且つ前頁に頁内余白Ｐｂがない場合はステップＳ４２２に進む。
【００９３】
ここで、頁内余白とは、それぞれの頁内において、文字、画像等が表示されていない領域のことである。例えば、各ページの上端部近傍や下端部近傍に、その頁の頁番号や文書名、文書の作成日等を表示する付加情報表示領域（所謂フッター、ヘッダー）がある場合に、このような付加情報表示領域を余白とみなし、余白を重ねるように表示を制御してもよい。
【００９４】
図２２（Ａ）に示す例では、主頁である第ｎ頁に頁内余白Ｐｔはないものの、前頁である第（ｎ−１）頁に頁内余白ＰｂがあるためステップＳ４２０に進む。また、図２３（Ａ）に示す例では、前頁である第（ｎ−１）頁に頁内余白Ｐｂがないものの、主頁である第ｎ頁に頁内余白ＰｔがあるためステップＳ４２０に進む。
【００９５】
ステップＳ４２０では、制御部１００は、主頁における次頁（第（ｎ＋１）頁）側に頁内余白Ｐｂがあるか否かと、次頁における主頁側に頁内余白Ｐｔがあるか否かとを判別する。そして、主頁の頁内余白Ｐｂと次頁の頁内余白Ｐｔとの少なくとも一方がある場合はステップＳ４３０に進み、主頁に頁内余白Ｐｂがなく且つ次頁に頁内余白Ｐｔがない場合はステップＳ４３２に進む。
【００９６】
例えば、図２２（Ａ）に示す例では、主頁である第ｎ頁に頁内余白Ｐｂはないものの、次頁である第（ｎ＋１）頁に頁内余白ＰｔがあるためステップＳ４３０に進む。一方、図２３（Ａ）に示す例では、主頁である第ｎ頁に頁内余白Ｐｂがなく、次頁である第（ｎ＋１）頁に頁内余白ＰｔがないためステップＳ４３２に進む。
【００９７】
ステップＳ４２２では、制御部１００は、主頁における次頁（第（ｎ＋１）頁）側に頁内余白Ｐｂがあるか否かと、次頁における主頁側に頁内余白Ｐｔがあるか否かとを判別する。そして、主頁の頁内余白Ｐｂと次頁の頁内余白Ｐｔとの少なくとも一方がある場合はステップＳ４３４に進み、主頁に頁内余白Ｐｂがなく且つ次頁に頁内余白Ｐｔがない場合は一連の処理を終了させる。
【００９８】
ステップＳ４３０では、例えば図２２（Ｂ）に示すように、制御部１００は、主頁である第ｎ頁と前頁である第（ｎ＋１）頁とを重ねて表示し、主頁である第ｎ頁と次頁である第（ｎ＋１）頁とを重ねて表示させる。この際、制御部１００は、それぞれの頁における頁内余白Ｐｔ、頁内余白Ｐｂの上に他の頁が重なるように各頁を重ねて表示する。尚、前頁に頁内余白Ｐｂがあり、主頁に頁内余白Ｐｔがある場合、前頁及び主頁のいずれが上側となるように頁を重ねて表示させてもよい。また、主頁に頁内余白Ｐｂがあり、次頁に頁内余白Ｐｔがある場合、主頁及び次頁のいずれが上側となるように頁を重ねて表示させてもよい。
【００９９】
ステップＳ４３２では、例えば図２３（Ｂ）に示すように、制御部１００は、主頁である第ｎ頁と前頁である第（ｎ−１）頁とを重ねて表示させる。この際、制御部は、前頁における頁内余白Ｐｂに主頁が重なるように各頁を表示させるか、主頁の頁内余白Ｐｔに前頁である第（ｎ−１）頁を重ねるように各頁を表示させる。
【０１００】
ステップＳ４３４では、例えば図２４（Ｂ）に示すように、制御部１００は、主頁である第ｎ頁と次頁である第（ｎ＋１）頁とを重ねて表示させる。この際、主頁における頁内余白Ｐｂに次頁が重なるように各頁を表示させるか、次頁の頁内余白Ｐｔに主頁を重ねるように各頁を表示させる。
【０１０１】
図２５は、文書表示装置１０の制御を説明する第五のフローチャートであり、文書データ５００の頁のいずれかに付された付箋を表示する場合における制御を説明するフローチャートであり、図２６は、図２５に示す制御の説明を補助する図である。以下、図２６に示すように、制御部１００が、７頁の文書データ５００を、第４頁を主頁とし、第３頁を前頁とし、第３頁に第１頁とが第２頁と重ねて表示させ、第５頁を次頁とし、第５頁に第６頁と第７頁とを重ねて表示させ、第１頁、第２頁、第３頁、第５頁、第６頁及び第７頁のそれぞれに付された付箋５１０を表示させる場合を例として説明をする。
【０１０２】
ここで、それぞれの付箋５１０は、操作者の操作に応じて各頁に付されるものであって、表示領域４１０内において頁が並べて表示される方向と同方向である縦方向の任意の位置を操作者が指定し、操作者が指定した位置に、例えば頁の右側部から突出するように付させるものである。
【０１０３】
例えば、ステップＳ１２２、ステップＳ１２４、ステップＳ１２６（それぞれ図５を参照）の開始と同時に、制御部１００は、図２５に示す一連の制御を開始する。ステップＳ５１０においては、制御部１００は、付箋を移動させる制御をしなかった場合に、各頁の表示領域４１０に表示されていない位置に付されている付箋５１０があるか否かを判別する。そして、各頁の表示領域４１０に表示されていない位置に付されている付箋５１０が１つでもあると判別した場合は、ステップＳ５２０に進み、各頁の表示領域４１０に表示されていない位置に付されている付箋５１０が１つもないと判別した場合は、一連の処理を終了させる。
【０１０４】
ステップＳ５２０では、図２６（Ｂ）に示すように、制御部１００は、付箋５１０を表示領域４１０内に移動させて表示する。この際、制御部１００は、例えば、奥側に位置する頁に付けられた付箋５１０ほど、頁が並べられる方向（縦方向）において表示領域４１０の中央に近くなるように、それぞれの付箋５１０を移動させてもよい。また、制御部１００は、付箋５１０の全てを操作者が目視しやすくすることができるように、複数の付箋５１０が完全に重なることないように、それぞれの付箋５１０を移動させることが望ましい。
【０１０５】
また頁の付箋５１０が付けられていた位置が表示領域４１０に表示されるように表示を変更させることに伴って、制御部１００が、付箋５１０をもともと付箋が付けられていた位置へ移動させることが望ましい。
【０１０６】
図２７には、本発明の第二の実施形態に用いられる文書表示装置１０が示されている。先述の第一の実施形態に用いられる文書表示装置１０は、制御部１００を有し、制御部１００が表示部４００の表示を制御していた。これに対して、この第二の実施形態の用いられる文書表示装置１０は、外部の制御部により表示部４００が制御される。
【０１０７】
図２７に示すように、文書表示装置１０は、文書表示装置本体１２と、文書表示装置本体１２に装着された操作部３００と、文書表示装置本体１２に装着された表示部４００とを有する。文書表示装置１０としては、例えばタブレット端末を用いることができる。また、表示部４００としては、例えば液晶表示パネルを用いることができ、操作部３００としては、例えばタッチパネルを用いることができる。
【０１０８】
図２８には、図２７に示す文書表示装置１０のハードウエア構成と、例えばサーバ等の制御装置９００のハードウエア構成とが示されている。図２８に示すように、文書表示装置１０は、通信インターフェイス１２０と、先述の操作部３００と、先述の表示部４００と、これらを制御する制御部１００とを有する。文書表示装置１０は、通信インターフェイス１２０と通信が可能な通信装置８１０と、インターネット通信網８２０とを介してネットワーク８３０に接続されている。
【０１０９】
制御装置９００は、制御部９１０と、通信インターフェイス９２０と、記憶部９３０とを有し、通信インターフェイス９２０を用いてネットワーク８３０に接続されている。記憶部９３０には、制御部９１０が表示部４００を制御するためのプログラムや、表示部４００が表示するデータが記憶されている。
【０１１０】
以上のように構成された文書表示装置１０においては、制御装置９００と文書表示装置１０とが通信可能であり、操作者が操作部３００を操作することに応じて、制御部９１０が表示部４００を制御する。制御部９１０による表示部４００の制御の詳細は、第一の実施形態における制御部１００による表示部４００の制御と同等であるため説明を省略する。
【符号の説明】
【０１１１】
１０・・・文書表示装置
１００・・・制御部
４００・・・表示部
４０２・・・表示画面
４１０・・・表示領域
５００・・・文書
５１０・・・付箋
Ｍｔ、Ｍｔ・・・頁外余白
Ｐｔ、Ｐｂ・・・頁内余白
【図１】
2018124468.tif 000003
【図２】
2018124468.tif 000004
【図３】
2018124468.tif 000005
【図４】
2018124468.tif 000006
【図５】
2018124468.tif 000007
【図６】
2018124468.tif 000008
【図７】
2018124468.tif 000009
【図８】
2018124468.tif 000010
【図９】
2018124468.tif 000011
【図１０】
2018124468.tif 000012
【図１１】
2018124468.tif 000013
【図１２】
2018124468.tif 000014
【図１３】
2018124468.tif 000015
【図１４】
2018124468.tif 000016
【図１５】
2018124468.tif 000017
【図１６】
2018124468.tif 000018
【図１７】
2018124468.tif 000019
【図１８】
2018124468.tif 000020
【図１９】
2018124468.tif 000021
【図２０】
2018124468.tif 000022
【図２１】
2018124468.tif 000023
【図２２】
2018124468.tif 000024
【図２３】
2018124468.tif 000025
【図２４】
2018124468.tif 000026
【図２５】
2018124468.tif 000027
【図２６】
2018124468.tif 000028
【図２７】
2018124468.tif 000029
【図２８】
2018124468.tif 000030